(57)【特許請求の範囲】
【請求項１】
データ通信装置において、
複数の端末機と、
所定の間隔で前記複数の端末機から動作チェックデータを受信するディレクトリデーモンと、
前記複数の端末機の管理リストを保有し、前記ディレクトリデーモンの端末機動作チェックデータ時間をアップデートし、前記ディレクトリデーモンのスイープ命令により所定時間動作チェックデータを伝送しなかった端末機を管理リスト上で削除して、削除情報を前記削除されない端末機に提供するディレクトリサーバと、
前記ディレクトリサーバの前記削除情報の伝送及び前記複数の端末機との通信を提供するウェブサーバと
を含むディレクトリサーバでの端末機動作判断装置。
【請求項２】
複数の端末機、前記複数の端末機を監視するディレクトリデーモン、ディレクトリサーバ、ウェブサーバからなる通信装置において、
（ａ）前記複数の端末機は、前記ディレクトリデーモンに所定間隔で動作チェックデータを伝送するステップと、
（ｂ）前記ディレクトリデーモンは、前記動作チェックデータの受信結果を前記ディレクトリサーバに伝送するステップと、
（ｃ）所定の時間間隔により前記ディレクトリデーモンから前記ディレクトリサーバに端末機管理命令を伝送するステップと、
（ｄ）前記ディレクトリサーバが前記管理命令により所定時間動作チェックデータを伝送しなかった端末機を管理リスト削除して削除情報を前記削除されない端末機に伝送するステップと
を含むディレクトリサーバでの端末機動作判断方法。
【発明の詳細な説明】
【０００１】
【発明の属する技術分野】
本発明は、データ通信装置及びその方法に係り、より詳細には、端末機が正常でない状態となったとき、ディレクトリサーバが管理するリスト上で該当端末機を除去して使用者に正常な端末機リストを見せるディレクトリサーバでの端末機動作判断装置及びその方法に関する。
【０００２】
【従来の技術】
正常でなく動作する端末機は、いろいろな端末機とサーバとが接続されたインターネット通信上で混乱を引き起こす。すなわち、正常でなく動作する端末機がディレクトリサーバ（図示せず）の端末機管理リスト上で削除されないと、使用者に誤ったリストを見せることになり、その結果、使用上の混乱を与える恐れがあるという問題点がある。
【０００３】
【発明が解決しようとする課題】
本発明は上記事情に鑑みて成されたものであり、その目的は、端末機が正常でない状態となったとき、ディレクトリサーバが管理する端末機リスト上で該当端末機を除去して使用者に知らせるディレクトリサーバでの端末機動作判断装置を提供するところにある。
本発明の他の目的は、端末機が正常でない状態となったとき、ディレクトリサーバが管理する端末機リスト上で該当端末機を除去して使用者に知らせるディレクトリサーバでの端末機動作判断方法を提供するところにある。
【０００４】
【課題を解決するための手段】
本発明の目的を達成するために、本発明によるディレクトリサーバでの端末機動作判断装置は、データ通信装置において、サーバ上に常に実行されており、複数の端末機の動作チェックデータを所定の時間間隔で受信するディレクトリデーモンと、前記ディレクトリデーモンで受信した前記端末機動作チェックデータ時間を受信及びアップデートし、前記ディレクトリデーモンのスイープ命令により所定時間動作チェックデータを伝送しなかった端末機を管理リスト上で削除して前記サーバを通じて前記端末機に出力するディレクトリサーバとを含む。
本発明の他の目的を達成するために、本発明によるディレクトリサーバでの端末機動作判断方法は、複数の端末機と、前記端末機を監視するディレクトリデーモンと、ディレクトリサーバ及びウェブサーバからなる通信装置において、（ａ）前記端末機から前記ディレクトリデーモンに所定間隔で動作チェックデータを伝送するステップと、（ｂ）前記ディレクトリデーモンから前記ディレクトリサーバに前記動作チェックデータの受信結果を伝送するステップと、（ｃ）所定の時間間隔により前記ディレクトリデーモンから前記ディレクトリサーバに端末機管理命令を伝送するステップと、（ｄ）前記ディレクトリサーバが前記管理命令により所定時間動作チェックデータを伝送しなかった端末機を管理リスト上で削除して前記端末機に伝送するステップとを含む。
【０００５】
【発明の実施の形態】
以下、添付した図面に基づき、本発明を詳細に説明する。
図１は、本発明によるウェブサーバを用いたディレクトリサーバでの端末機動作判断装置のブロック構成図である。
図１に示された装置は、複数の端末機１０、サーバ上に常に実行されており、所定間隔で端末機１０からの動作チェックデータを受信するディレクトリデーモン１１と、ディレクトリデーモン１１の端末機１０の動作チェックデータ時間をアップデートし、ディレクトリデーモン１１のスイープ命令により動作チェックデータを伝送しなかった端末機を管理リスト上で削除するディレクトリサーバ１２と、ディレクトリサーバ１２の端末機削除結果及び端末機との通信を提供するウェブサーバ１３とからなる。
【０００６】
図２は、本発明によるウェブサーバを用いたディレクトリサーバでの端末機動作判断方法の動作を示すフローチャートである。
図２に示されたフローチャートは、端末機からディレクトリデーモンに所定間隔で動作チェックデータ（以下、Ａｌｉｖｅ  Ｃｈｅｃｋ  Ｄａｔａと称する）を伝送するステップ（２０）と、ディレクトリデーモンがディレクトリサーバに各端末機に該当するＡｌｉｖｅ  Ｃｈｅｃｋ時間スタンプをアップデートするステップ（２１）と、ディレクトリデーモンがディレクトリサーバに所定間隔でスイープ命令を伝送するステップ（２２）、及びディレクトリサーバがウェブサーバを通じて各端末機リストをチェックした結果、所定時間Ａｌｉｖｅ  Ｃｈｅｃｋ  Ｄａｔａを伝送しなかった端末機をリスト上で削除して端末機に伝送するステップ（２３）を含む。
【０００７】
次に、図１及び図２を参照し、本発明を詳細に説明する。
各端末機１０は、ウェブサーバ１３にログオンまたはログアウトしてインターネット通信を開始または終了する。
各端末機１０は、ネットワークを通じてディレクトリデーモン１１に所定間隔でＡｌｉｖｅ  Ｃｈｅｃｋ  Ｄａｔａを伝送する（ステップ２０）。ディレクトリデーモン１１はサーバ上に常に実行されており、各端末機１０が動作チェックデータにより正常に動作しているかどうかを監視する。
【０００８】
ディレクトリデーモン１１は、Ａｌｉｖｅ  Ｃｈｅｃｋ  Ｄａｔａをディレクトリサーバ１２に伝送してその端末機１０に該当するＡｌｉｖｅ  Ｃｈｅｃｋ時間スタンプをアップデートする（ステップ２１）。ディレクトリデーモン１１は、各端末機１０から伝送されるＡｌｉｖｅ  Ｃｈｅｃｋ  Ｄａｔａを所定間隔で受信してその結果をディレクトリサーバ１２に伝送し、ディレクトリサーバ１２はディレクトリデーモン１１からの端末機１０の動作可否を所定時間間隔で受信し続けて、その結果をアップデートする。
ディレクトリデーモン１１がディレクトリサーバ１２に所定間隔でスイープ命令を伝送する（ステップ２２）。この命令がディレクトリサーバ１２に伝送されると、所定時間アップデートされた各端末機１０の動作リストをチェックすることになる。
【０００９】
ディレクトリサーバ１１がウェブサーバ１３を通じて各端末機１０リストをチェックした結果、所定時間Ａｌｉｖｅ  Ｃｈｅｃｋ  Ｄａｔａを伝送しなかった端末機１０をディレクトリサーバ１１の管理リスト上で削除して端末機に伝送する（ステップ２３）。これにより、端末機１０が正常に動作しているかどうかが分かる。
【００１０】
【発明の効果】
以上述べたように、本発明によれば、端末機が正常でない状態となったとき、ディレクトリサーバの管理リスト上で該当端末機を削除して使用者に現在正常な端末機リストのみを見せて正常な端末機の動作可否を確認することで、使い勝手が良くなる効果がある。
本発明は前述した実施形態に限定されることなく、本発明の思想内で当業者による変形が可能なのは言うまでもない。
【図面の簡単な説明】
【図１】本発明によるディレクトリサーバでの端末機動作判断装置のブロック構成図である。
【図２】本発明によるディレクトリサーバでの端末機動作判断方法の動作を示すフローチャートである。
【符号の説明】
１０…端末機
１１…ディレクトリデーモン
１２…ディレクトリサーバ
１３…ウェブサーバ
【図１】
0003583357.tif 000002
【図２】
0003583357.tif 000003